(57)【特許請求の範囲】
【請求項１】
複数の線速度に対応した記録可能な光記録媒体から複数の線速度情報を読み出す工程と、
前記読み出した前記複数の線速度情報の中で情報を記録するための第１の線速度を決定する工程と、
最適なレーザパワーを決定するために用いる検出信号に基づいて決定される検出精度が、第１の線速度より高い第２の線速度で、最適な記録レーザパワーを決定する工程と、
決定された第２の線速度の記録パワーに基づいて、前記第１の線速度における最適な記録レーザパワーを決定する工程とからなる記録レーザパワーの制御方法。
【請求項２】
第２の線速度は第１の線速度より速い線速度であることを特徴とする請求項１記載の記録レーザパワーの制御方法。
【請求項３】
複数の線速度に対応した記録可能な光記録媒体から複数の線速度情報を読み出す工程と、
前記読み出した前記複数の線速度情報の中で情報を記録するための第１の線速度を決定する工程と、
最適なレーザパワーを決定するために用いる検出信号に基づいて決定される検出精度が、第１の線速度より高い第２の線速度で、最適な記録レーザパワーを決定する工程と、
決定された第２の線速度の記録パワーに基づいて、前記第１の線速度における最適な記録レーザパワーを決定する工程とからなる記録レーザパワーの制御装置。
【請求項４】
第２の線速度は第１の線速度より速い線速度であることを特徴とする請求項３記載の記録レーザパワーの制御装置。
【発明の詳細な説明】
【０００１】
【産業上の利用分野】
本発明は、デジタル多用途ディスク(以下ＤＶＤと記す)であるＤＶＤ−Ｒ、ＤＶＤ−ＲＷ、ＤＶＤ＋ＲＷ、ＤＶＲブルー等の有機色素媒体や相変化媒体等で記録パワーと消去パワーを制御する記録可能な光ディスクに照射する記録レーザパワー値の制御方法及び記録レーザパワーの制御装置に関する。
【０００２】
【従来の技術】
現在ＣＤ−ＲＷやＤＶＤ−ＲやＤＶＤ−ＲＷ、ＤＶＤ＋ＲＷ、ＤＶＲブルー等の有機色素媒体や相変化媒体に対して記録再生を行う装置が知られている。このような装置において記録の良否は、相変化媒体の物理的特性、光学的特性あるいは用いる記録を行うためのピックアップやレーザ波長等に依存するため、最適な記録レーザパワ−値に制御する必要がある。このためには装置が設定しているパワーが実際に出射しているパワーになっているか、つまり現在の実パワーを知る必要がある。
【０００３】
従来の有機色素媒体や相変化媒体での最適パワーを探し出すためのキャリブレーション方法は、例えば特許公報（特許第３１５９４５４号公報）や先願（特願２００１−２５０１５０号の明細書及び図面）に説明されている。ここでは、本実施例でもある図４（ａ）に示すようにＤＶＤ−ＲＷに設けられた専用のトラック３に、図４（ｄ）に示す記録信号ｃを図４（ｂ）のＬＰＰ（Land Pre-pit）シンク（同期信号）ａに基づいて図４（ｃ）の如く所定時間（以下、これをＳＴＥＰという。）ごとに記録信号ｃを変えながら記録を行う。
【０００４】
記録信号ｃの具体例を図１に示す。記録信号ｃ1 は図１からわかるように、ＤＶＤに記録する通常の信号である８−１６変調である記録信号ｃを用いるのではなく、１１Ｔと３Ｔのみを用い、１１Ｔパルス区間を３回、３Ｔパルス区間を１０回、再び１１パルス区間を３回、３Ｔパルス区間を１２回の合計１３２Ｔ周期のくり返しパターンで形成される。その結果、
１１Ｔパルスの“Ｈ”区間→１１Ｔ×３＝３３Ｔ
１１Ｔパルスの“Ｌ”区間→１１Ｔ×３＝３３Ｔ
３Ｔパルスの“Ｈ”区間→３Ｔ×１１＝３３Ｔ
３Ｔパルスの“Ｌ”区間→３Ｔ×１１＝３３Ｔ
のように、各パルス区間の“Ｈ”レベルと“Ｌ”レベルの回数が同じくなり、換言すればデューティ比が５０％であるということである。Ｔはチャネル周波数。
【０００５】
その後、ＤＶＤ−ＲＷ上のトラック２を読取り再生し、得られた８−１６変調のＲＦ信号の直流成分を除去（ＡＣ結合コンデンサにより）した信号は図４（ｅ）のＡＣ結合再生信号ｇの如くとなり、このＡＣ結合再生信号ｇの１１Ｔ信号振幅の中心に対すて３Ｔ信号の振幅の中心位置の関係（以下この関係をアシンメトリーと言う）がほぼ一致したときの記録レーザパワーｂの値（Ｂ４）を最適記録レーザパワー値としてキャリブレーションを行っていた。図４（ｅ）におけるＡ、Ｂ、Ｃ部のアイパターンを図６に示す。図６からわかるようにＢ４部が最適パワー値といいうる。実際にはこのポイントが再生信号のジッタの最小点と一致する等のデータに基づいて決定している。
【０００６】
【発明が解決しようとする課題】
ところが、このような有機色素や相変化の記録層として用いた媒体で特に相変化媒体では、１１Ｔ信号振幅の中心に対して３Ｔ信号の振幅の中心位置の関係（ずれ量）（以下この関係をアシンメトリーと言う）の記録パワーに対する変化率は、線速度に依存することがあり、変化率が大きい場合には検出が可能であるが、線速度によっては検出が困難であるという問題がある。
【０００７】
一般的に記録装置において、装置を製造し工場を出荷した時点では、記録レーザパワーは調整されているので、目標パワーと出力されるパワーは一致するが、温度変化や経時変化や光学系に付着するゴミ等によるパワーの変動が発生し、第一の段階として実際に出射されている実パワーを測定することが必要とされている。
【０００８】
したがって、本発明の目的は最適記録レーザパワー値を精度良く短時間で求める記録レーザパワーの制御方法及び記録レーザパワーの制御装置を提供することにある。
【０００９】
【課題を解決するための手段】
上記課題を解決するために、本発明は下記する構成の記録レーザパワーの制御方法記録レーザパワーの制御装置を提供する。
（１）  複数の線速度に対応した記録可能な光記録媒体から複数の線速度情報を読み出す工程と、  前記読み出した前記複数の線速度情報の中で情報を記録するための第１の線速度を決定する工程と、
最適なレーザパワーを決定するために用いる検出信号に基づいて決定される検出精度が、第１の線速度より高い第２の線速度で、最適な記録レーザパワーを決定する工程と、
決定された第２の線速度の記録パワーに基づいて、前記第１の線速度における最適な記録レーザパワーを決定する工程とからなる記録レーザパワーの制御方法。
（２）  第２の線速度は第１の線速度より速い線速度であることを特徴とする請求項１記載の記録レーザパワーの制御方法。
（３）  複数の線速度に対応した記録可能な光記録媒体から複数の線速度情報を読み出す工程と、
前記読み出した前記複数の線速度情報の中で情報を記録するための第１の線速度を決定する工程と、
最適なレーザパワーを決定するために用いる検出信号に基づいて決定される検出精度が、第１の線速度より高い第２の線速度で、最適な記録レーザパワーを決定する工程と、
決定された第２の線速度の記録パワーに基づいて、前記第１の線速度における最適な記録レーザパワーを決定する工程とからなる記録レーザパワーの制御装置。
（４）  第２の線速度は第１の線速度より速い線速度であることを特徴とする請求項３記載の記録レーザパワーの制御装置。
【００１３】
【発明の実施の形態】
次に、本発明の実施の形態につき、好ましい実施例を用い、図面に沿って説明する。
【００１４】
図１、図２を用いて、本発明を説明する。
本発明のパワー制御方法を実施するための録再可能なＤＶＤ−ＲＷレコーダの要部を図２に示す。テスト記録時において、ＤＶＤ−ＲＷ１はスピンドルモータ７により回転され、その回転はサーボ回路１０により制御される。このとき、ピックアップ６はトラック２に対応する位置にサーボ回路１０により制御される。キャリブレーション用記録信号生成回路１７（テスト記録信号）をコントローラ１６からの制御信号ｌにより制御して記録信号ｃ1 を生成し、切換信号ｒでコントロールされる切換スイッチ１８を介して記録アンプ４に入力する。
【００１５】
なお、記録信号ｃ1 はこのようにキャリブレーション用記録信号生成回路１７によらず、コントローラ１６内のＲＯＭ等に予め記録信号ｃ1 のパターンデータを格納しておき、適宜読出して記録アンプ４に与えるようにしてもよい。
【００１６】
そして、ピックアップ６のレーザダイオードを駆動するが、このときの記録及び消去レーザパワーｂは、コントローラ（サーボ・メカ・コントロールマイコン）１６、Ｄ／Ａ変換器１４を介して与えられる後述する記録レーザパワー制御信号ｍｐ及び消去レーザパワー制御信号ｍｅにより記録アンプ４を図４（ｃ）のように可変制御することで行われる。
【００１７】
テスト記録した信号の再生時においては、録再切換スイッチ８をＰＢ側に切換え、ピックアップ６の読取信号を再生アンプ９により増幅したのち、そのＲＦ信号をデコーダへ出力する。一方、再生アンプ９から出力されるＲＦ信号は、サンプルホールド回路を含むピーク検出回路１２、ボトム検出回路１３、平均値検出回路１９のいずれかを詳述しないデコーダからのアドレス信号とウォブル信号から生成されたタイミング信号である切り換え信号２０を用いて、前記信号のサンプルホールドを行い、サンプルホールド後の信号を切換回路２１にて切り換える。切り換えられた信号は、デコーダからの再生信号のタイミング信号を基にＡ／Ｄ変換器１５を介してコントローラ１６に入力され、後述する最適パワー値の算出に供される。このピーク検出回路１２、ボトム検出回路１３、平均値検出回路１９は図４及び図６の１１Ｔ信号のピークとボトム信号、３Ｔ信号をＬＰＦを介して平均値化した信号に対応している。尚、この平均値化する回路はＬＰＦの設定により３Ｔ又は４Ｔ又は５Ｔの周波数を平均値化することができるように設計されている。
【００１８】
テスト記録用の記録信号としては、図１に示す記録信号ｃ1を同様に用いる。図９に対応する図を図４に示す。記録位置はＤＶＤ−ＲＷの内周のテスト記録領域（Power Calibration Area）で行う。図４（ｂ）はＤＶＤ−ＲＷの規格に従ったデータの記録領域であるグルーブの外周側のランドにプリピットアドレスとして形成されているＬＰＰ（ランドプリピット）のタイミング信号に従って図４（ｃ）に示す方法で、記録パワーと消去パワーの比の値εを一定にして記録パワーを増加するように可変して記録を行う。
【００１９】
記録信号ｃ1は図１からわかるように、ＤＶＤの８／１６変調記録信号ｃを用いるのではなく、１１Ｔと３Ｔのみを用い、１１Ｔパルス区間を３回、３Ｔパルス区間を１０回、再び１１パルス区間を３回、３Ｔパルス区間を１２回の合計１３２Ｔ周期のくり返しパターンで形成される。その結果、
１１Ｔパルスの“Ｈ”区間→１１Ｔ×３＝３３Ｔ
１１Ｔパルスの“Ｌ”区間→１１Ｔ×３＝３３Ｔ
３Ｔパルスの“Ｈ”区間→３Ｔ×１１＝３３Ｔ
３Ｔパルスの“Ｌ”区間→３Ｔ×１１＝３３Ｔ
のように、各パルス区間の“Ｈ”レベルと“Ｌ”レベルの回数が同じなるように設定し、デューティ比を５０％として信号成分の持つＤＣ成分の影響を受けないようにしている。
【００２０】
この記録信号を再生して最適な記録パワーを演算する制御アルゴリズムについて説明をする。
【００２１】
最初にテスト記録を行った場所に移動し、目的のＬＰＰアドレスのデコーダから得たＬＰＰのタイミング信号を検出し、それぞれの記録位置に対応したタイミング信号でサンプルホールドした１１Ｔ信号のピーク値と、１１Ｔ信号のボトム値を測定し、１１Ｔ信号のピーク値とボトム値の中心値を演算する。次に、３Ｔ信号の中心である平均値検出出力を測定し、ピーク値とボトム値の中心値に対して平均値検出出力とを比較する。ピーク値とボトム値の中心値に対する平均値検出出力との差をピーク値とボトム値のピークｔｏピークで割ったのがアシンメトリーである。
【００２２】
このアシンメトリーが０％または、０％に近い値（所定の条件下でＤＶＤ−ＲＷでは−５％から＋１５％の間として規格として決められているが、実際の装置に用いられるピックアップ及び、記録条件である記録波形（ストラテジー）によって目標値が異なるのでそれぞれのディスクに対して個々に実験結果によって目標値が決定されていて、記録装置のＲＯＭ或いは製造工程で測定された最適値がＥＥＰＲＯＭに記録されている。）で、装置に記録されている目標値と比較して目標値と一致した時の出射パワーが最適な記録パワー値となる。
【００２３】
ここで、ＤＶＤ−ＲＷの媒体には、媒体の固有のＩＤと媒体のメーカが推奨する記録すべき推奨記録パワー、消去パワーを決定するための推奨記録パワーと消去パワーの比率ε、記録条件である記録波形である記録パワーの先頭パルス幅、中間領域のマルチパルス幅、後端のパルスを決定するためのクーリングパルス幅或いは後端のパルス幅（ストラテジー）、アシンメトリー値が存在する場合には推奨アシンメトリー値が線速度情報と共に媒体に記録されている。現在では１倍速の規格しか存在しないが、２倍速、４倍速等の高倍速の規格化が行われると、それぞれの倍速値に対応した推奨値が同様に媒体に記録される。ＤＶＤ−ＲやＤＶＤ＋ＲＷ等での同様な意味の情報が媒体に記録されている。
【００２４】
そこで、装置を開発製造する時点で、媒体を評価し、この媒体に記録されている推奨値がその装置でも同様に推奨値として使えると判断できる場合には、或いは、この値にオフセットをして、使えると判断できる場合には、その媒体の固有のＩＤをそのまま使用できる。又は、オフセットと共に装置のＲＯＭまたはＥＥＰＲＯＭに記憶しておく。アシンメトリー値が存在しない場合には最適パワーに対応する目標アシンメトリー値を測定して装置のＲＯＭまたはＥＥＰＲＯＭに記憶しておく。
【００２５】
そして、媒体を評価し、この媒体に記録されている推奨値がその装置では参考にならないと判断する場合には、その値は参考にせず、その媒体の固有のＩＤと前記のそれぞれの推奨値を装置のＲＯＭまたはＥＥＰＲＯＭに記憶しておく。
【００２６】
図３は実際の１倍速用のＤＶＤ−ＲＷのアシンメトリー特性を示している。１倍速（以下１Ｘと表現する。）とは線速度で３．４９ｍ／ｓである。１ＸのＤＶＤ−ＲＷディスクを１Ｘの記録条件で、記録した場合には、横軸のパワーに対する依存度を示す傾きが小さいのに比べて、１ＸのＤＶＤ−ＲＷディスクを１．５Ｘの記録条件で、記録した場合には、横軸のパワーに対する依存度を示す傾きが大きくなることが分かる。この理由は、相変化媒体の記録のメカニズムに関係し、記録速度が速い場合には、３Ｔ等の小さなマークを形成するときには、１１Ｔ等の長いマークに対して、長さ方向だけでなく幅方向も小さく形成され、逆に記録する線速度が低い場合には、３Ｔ等の短いマークにおいてもマーク形成の熱拡散時間が十分であり、１１Ｔ等の長いマークに対して幅方向もあまり変わらない大きさのマークが形成されるのではないかと考えられる。
【００２７】
図５は開発中の２倍速用のＤＶＤ−ＲＷのアシンメトリー特性を示している。２倍速（以下２Ｘと表現する。）とは線速度で６．９８ｍ／ｓである。２Ｘのディスクは１Ｘと２Ｘに対応しており、ディスクにはそれぞれの速度に対応する前記の推奨値が記載される。２ＸのＤＶＤ−ＲＷディスクを１Ｘの記録条件で、記録した場合には、横軸のパワーに対する依存度を示す傾きが非常に小さいのに比べて、２ＸのＤＶＤ−ＲＷディスクを２Ｘの記録条件で、記録した場合には、横軸のパワーに対する依存度を示す傾きが大きくなることが分かる。この理由は、前期同様であり、本実験結果に限定されることなくその他の規格の媒体でも同様な結果が得られると考えられる。
【００２８】
この結果から判断できることは、図３の１Ｘにおいては、１Ｘで記録再生した場合には、記録パワーが１３ｍＷ付近でアシンメトリー値が０％になり、図示しないがジッタも最小点となるが、パワーを変更したときのアシンメトリーの傾きが非常に小さく、このアシンメトリー値を正確に検出するためには、Ａ／Ｄ変換器の分解能を上げる等の回路規模の追加によるコストアップ、測定の精度を上げるために記録及び測定時間を増やす等での不要な時間の増加が必要であり望ましくない。一方で、測定精度低いままパワーを決定した場合には、他の装置で記録再生をした場合の、記録再生互換に問題を生じることになる。
【００２９】
その一方で、１．５Ｘで記録再生した場合にも、ほぼ同じパワーである記録パワー１３ｍＷ付近でアシンメトリー値が０％になり、図示しないがジッタも最小点となるが、パワーを変更したときのアシンメトリーの傾きが非常に大きく、このアシンメトリー値を正確に検出することは容易である。
【００３０】
つまり、１Ｘ媒体は１Ｘ専用であり、媒体の上にも１．５Ｘ等での前記推奨値の記載は無いが事前に、その１Ｘ媒体の性能を装置が実験的に認識しておけば、装置の実際に発光しているパワーの値が分からなくても、このアシンメトリー値から明確に目標のパワーを知ることができる。
【００３１】
同様に、図５の２Ｘにおいては、１Ｘで記録再生した場合には、記録パワーが１３ｍＷ付近でアシンメトリー値が２％になり、図示しないがジッタも最小点となるが、パワーを変更したときのアシンメトリーの傾きが非常に小さく、このアシンメトリー値を正確に検出するためには、Ａ／Ｄ変換器の分解能を上げる等の回路規模の追加によるコストアップ、測定の精度を上げるために記録及び測定時間を増やす等での不要な時間の増加が必要であり望ましくない。一方で、測定精度低いままパワーを決定した場合には、他の装置で記録再生をした場合の、記録再生互換に問題を生じることになる。
【００３２】
その一方で、２Ｘで記録再生した場合にも、ほぼ同じパワーである記録パワー１３ｍＷ付近でアシンメトリー値が２％になり、図示しないがジッタも最小点となるが、パワーを変更したときのアシンメトリーの傾きが非常に大きく、このアシンメトリー値を正確に検出することは容易である。
【００３３】
つまり、１Ｘにも２Ｘにも記録対応している媒体に記録する場合、２Ｘでアシンメトリー値から最適パワーを求め、その求めた最適パワーと、媒体に記録されている推奨パワーとの差を計算すれば、実際に出射されているパワーの値を求めることができ、本媒体で例えば１Ｘで記録しようとした場合に、媒体に記録されている１Ｘの推奨パワー値と先ほどの差から目標である記録パワーを求めることができる。
【００３４】
この考え方は、１Ｘ、２Ｘの数値に限定されるのもでは無く、複数の線速度（倍速）の異なる記録に対応する媒体において、検出感度（傾き）の高い最適なアシンメトリーの測定結果が得られる線速度を基準にして、実際に出射されているパワーを精度良く求めることができ、その他の速度での記録にも対応できることを意味している。
【００３５】
以下に実際の装置における処理の説明をする。
【００３６】
(第１実施例)
先述しているように、本実施例におけるＤＶＤ−ＲＷの１、２倍速に対応する媒体には、媒体の固有のＩＤと媒体のメーカが推奨する記録すべき推奨記録パワー、消去パワーを決定するための推奨記録パワーと消去パワーの比率ε、記録条件である記録波形である記録パワーの先頭パルス幅、中間領域のマルチパルス幅、後端のパルスを決定するためのクーリングパルス幅或いは後端のパルス幅（ストラテジー）、アシンメトリー値が存在する場合には推奨アシンメトリー値が線速度情報と共に媒体に記録されている。装置を開発製造する時点で、媒体を評価し、この媒体に記録されている推奨値がその装置でも同様に推奨値として使えると判断できる場合には、或いは、この値にオフセットをして、使えると判断できる場合には、その媒体の固有のＩＤをそのまま使用できる。又は、オフセットと共に装置のＲＯＭまたはＥＥＰＲＯＭに記憶しておく。アシンメトリー値が存在しない場合には最適パワーに対応する目標アシンメトリー値を測定して装置のＲＯＭまたはＥＥＰＲＯＭに記憶しておく。そして、媒体を評価し、この媒体に記録されている推奨値がその装置では参考にならないと判断する場合には、その値は参考にせず、その媒体の固有のＩＤと前記のそれぞれの推奨値を装置のＲＯＭまたはＥＥＰＲＯＭに記憶している装置で、
（１）起動時に、ディスクの種類を判別し、認識可能なディスクの種類であれば、ディスクの管理領域に移動し、前記の媒体の固有のＩＤと媒体のメーカが推奨する記録すべき推奨記録パワー、消去パワーを決定するための推奨記録パワーと消去パワーの比率ε、記録条件である記録波形である記録パワーの先頭パルス幅、中間領域のマルチパルス幅、後端のパルスを決定するためのクーリングパルス幅或いは後端のパルス幅（ストラテジー）、アシンメトリー値が存在する場合には推奨アシンメトリー値が線速度情報を読み出す。
【００３７】
（２）この媒体の固有のＩＤが装置のＲＯＭまたはＥＥＰＲＯＭに記憶されているＩＤであれば、このＩＤに基づいて、使用可能な媒体の管理領域の情報が装置の記録系回路に設定される。
（３）次に、線速度情報として、複数の線速度に対応した媒体であることを、管理領域の情報から読み出した時には、装置のＲＯＭまたはＥＥＰＲＯＭに記憶されている最適な線速度情報が選択され、その選択された情報が記録系回路に設定される。
（４）この設定された線速度によって前記の一連のテスト記録を行い、傾きの高いアシンメトリーデータから精度良く現在のパワーを決定する。例えれば、管理領域の情報からパワーが１３ｍＷで、アシンメトリー２％で実験データと一致して有効であるＩＤと認識できたデータの媒体にテスト記録して、装置の設定パワーが１５ｍＷで、アシンメトリー２％の結果が得られた場合、何らかの理由で、装置の光学系の対物レンズから出射した光量が減少していると判断できるから、以降のパワーの設定は、１５ｍＷ−１３ｍＷ＝２ｍＷのオフセット値を加算して出力する。このようにすれば、この媒体を、このテスト記録した線速度よりも低い線速度で記録しようとした場合にも、その線速度における管理領域の情報に先ほどのオフセット値を加算することにより、アシンメトリー特性の傾きが緩やかで検出が難しい場合でも、正確なパワーの設定を行うことができる。
【００３８】
(第２実施例)
次に、本実施例におけるＤＶＤ−ＲＷの１倍速のみに対応する媒体には、媒体の固有のＩＤと媒体のメーカが推奨する記録すべき推奨記録パワー、消去パワーを決定するための推奨記録パワーと消去パワーの比率ε、記録条件である記録波形である記録パワーの先頭パルス幅、中間領域のマルチパルス幅、後端のパルスを決定するためのクーリングパルス幅或いは後端のパルス幅（ストラテジー）、アシンメトリー値が存在する場合には推奨アシンメトリー値が媒体に記録されている。装置を開発製造する時点で、媒体を評価し、この媒体に記録されている推奨値がその装置でも同様に推奨値として使えると判断できる場合には、或いは、この値にオフセットをして、使えると判断できる場合には、その媒体の固有のＩＤをそのまま使用できる。又は、オフセットと共に装置のＲＯＭまたはＥＥＰＲＯＭに記憶しておく。アシンメトリー値が存在しない場合には最適パワーに対応する目標アシンメトリー値を測定して装置のＲＯＭまたはＥＥＰＲＯＭに記憶しておく。そして、媒体を評価し、この媒体に記録されている推奨値がその装置では参考にならないと判断する場合には、その値は参考にせず、その媒体の固有のＩＤと前記のそれぞれの推奨値を装置のＲＯＭまたはＥＥＰＲＯＭに記憶している装置で、
（１）起動時に、ディスクの種類を判別し、認識可能なディスクの種類であれば、ディスクの管理領域に移動し、前記の媒体の固有のＩＤと媒体のメーカが推奨する記録すべき推奨記録パワー、消去パワーを決定するための推奨記録パワーと消去パワーの比率ε、記録条件である記録波形である記録パワーの先頭パルス幅、中間領域のマルチパルス幅、後端のパルスを決定するためのクーリングパルス幅或いは後端のパルス幅（ストラテジー）、アシンメトリー値が存在する場合には推奨アシンメトリー値が線速度情報を読み出す。
【００３９】
（２）この媒体の固有のＩＤが装置のＲＯＭまたはＥＥＰＲＯＭに記憶されているＩＤであれば、このＩＤに基づいて、使用可能な媒体の管理領域の情報が装置の記録系回路に設定される。
（３）次に、線速度情報として、１つの線速度に対応した媒体であることを、管理領域の情報から読み出した時には、装置のＲＯＭまたはＥＥＰＲＯＭに記憶されているテスト記録を行うべき最適な線速度情報（１．５倍速）が読み出され、その線速度情報が記録系回路に設定される。
（４）この設定された線速度（１．５倍速）によって前記の一連のテスト記録を行い、傾きの高いアシンメトリーデータから精度良く現在のパワーを決定する。例えれば、管理領域の情報からパワーが１３ｍＷで、アシンメトリー０％で実験データと一致して有効であるＩＤと認識できたデータの媒体にテスト記録して、装置の設定パワーが１５ｍＷで、アシンメトリー０％の結果が得られた場合、何らかの理由で、装置の光学系の対物レンズから出射した光量が減少していると判断できるから、以降のパワーの設定は、１５ｍＷ−１３ｍＷ＝２ｍＷのオフセット値を以降加算して出力する。次に、この媒体の線速度を１倍速に戻して通常の記録を行う。
【００４０】
(第３実施例)
図７は、図３または図５が１１Ｔ信号に対して３Ｔ信号のアシンメトリーであるのに対して、１１Ｔ信号に対して３Ｔ信号と４Ｔ信号のアシンメトリーを重ねてプロットした特性である。この様な再生信号を２値化してディジタルデータに変換する際に、再生ジッタが最小になる単純な条件は、それぞれの各Ｔの２値化レベルが同一になることが望ましいので、各Ｔのアシンメトリーレベルが同一の値になったときが、最もジッタが良い最適パワーであるとすることができる。この関係に基づいて図７は、特にジッタに与える影響度の大きい３Ｔと４Ｔが交差する点が、最適パワーになることを示している。この考え方に置いても、同様に３Ｔと４Ｔを含む信号でテスト記録を行い３Ｔと４Ｔの信号の交点を求め、この交点の時のパワーをほぼ最適パワー（値に関係なく管理することもできる）とする。この方法においても、前記の２つの実施例のように媒体に記録されている最適パワーをＲＯＭまたはＥＥＰＲＯＭに記憶されている値と比較して、この交点での設定パワーと、媒体に記載しているパワーから、差をオフセット値としてその他の線速度での記録に用いる。この交点を求める方法においても、このアシンメトリーが高い傾きで得られることが望ましく、前記実施例と同様にテスト記録する線速度を適正に選ぶことによって実現することができる。
【００４１】
また、本文中で述べているアシンメトリーは再生信号の中で低い周波数信号の振幅の中心に対する高い周波数信号成分の中心位置関係であり、この周波数の違いにより発生する信号間の振幅の位置関係を規定するものであれば、信号をＤＣ状態でディジタル的に処理しても、コンデンサを用いてＣカットして全体の信号の中心に対して、１１Ｔの信号の位置を規定しても同様であり、ＤＶＤ−ＲやＤＶＤ−ＲＷの規格書に記述されているβ法におけるβであったり、シンメトリーという名称でも同様である。また、ここでは３Ｔ、４Ｔ、１１Ｔの信号を用いているが変調方式によって低い周波数信号と高い周波数信号成分のＴのい値は適宜変更される。
【００４２】
また、本実施例ではＤＶＤ−ＲＷ等の特にＡｇＩｎＡｓＴｅ等の材料を用いた共晶系の相変化材料のおける特性を例にとって説明したが、ＧｅＡｓＴｅ等の材料を用いた化合物系（単晶系）の相変化材料のおける特性でも同様な傾向であり、有機色素系の材料を用いても同様な結果が得られる場合には、本方法を用いることができる。
【００４３】
【発明の効果】
以上の通り、本発明は、記録及び消去パワーの最良値を検出する場合に、最適な線速度を設定してテスト記録を行うことにより、アシンメトリー値のパワーに対する傾きが大きくなり、最適な記録パワーの検出精度が向上し、他の線速度での精度の低いテスト記録を用いたパワー決定を行わなくて済み、最適なパワーを求めることを短時間で行うことができ、これによって、記録再生を行う際の装置間、メーカー間での互換性を維持し市場の発展に寄与することができる。
【図面の簡単な説明】
【図１】テスト記録用の記録信号の波形図である。
【図２】本発明装置の一実施例であるＤＶＤ−ＲＷレコーダの要部ブロック図である。
【図３】１倍速用のＤＶＤ−ＲＷ(１Ｘ媒体)のアシンメトリー特性図である。
【図４】本発明方法の一実施例を示すタイムチャートである。
【図５】２倍速用のＤＶＤ−ＲＷ(２Ｘ媒体)のアシンメトリー特性図である。
【図６】図４の場合のＤＣ結合再生信号のアイパターンの説明図である。
【図７】２倍速用のＤＶＤ−ＲＷにおける３Ｔ信号と４Ｔ信号のアシンメトリー特性図である。
【符号の説明】
１…ＤＶＤ−ＲＷ
２…キャリブレーションエリア
３…トラック
４…記録アンプ
６…ピックアップ
７…スピンドルモータ
８…録再切換スイッチ
９…再生アンプ
１０…サーボ回路
１２…ピーク検出回路
１３…ボトム検出回路
１４…Ｄ／Ａ変換器
１５…Ａ／Ｄ変換器
１６…コントローラ
１７…キャリブレーション用記録信号生成回路
１８…切換スイッチ
１９…平均値検出回路
２０…切換信号
２１…切換回路
２２…スイッチ
ａ…ＬＰＰシンク
ｂ…記録レーザパワー
ｃ…記録信号
ｃ1 …記録信号
ｇ…再生信号
ｌ…制御信号
ｍｅ…消去レーザパワー制御信号
ｍｐ…記録レーザパワー制御信号
ｎ…録再切換信号
ｏ…記録信号の切換制御信号
ｑ…積分出力
ＰREC …記録パワー
ｒ…切換信号
【図１】
0003791460.tif 000002
【図２】
0003791460.tif 000003
【図３】
0003791460.tif 000004
【図４】
0003791460.tif 000005
【図５】
0003791460.tif 000006
【図６】
0003791460.tif 000007
【図７】
0003791460.tif 000008